(57)【要約】【課題】空気調和機の室外ユニットのモ−タ取付台の取付部材が製品の運送時に折れ、振動、ビビリ音が発生すること。【解決手段】送風機を取付けたモ−タ取付台１１の分割した一方の上端１１ｃを前板２側へ略直角に折り曲げて前板２の上部に固着し、他方の上端１１ｄを熱交換器５上部を跨乗させて外面側に略直角に折り曲げ、さらにモ−タ取付台１１の一部１１ａを熱交換器５の内面側の高さ方向の任意の位置に接触するように略直角に折り曲げたことにより、固定部が大きくかつ前後両側で固定されて合成が強くなり、製品の運送時のガタツキ等の原因でモ−タ取付台が傾くことがなくなり、部材が破損し難く、モ−タ取付台の傾きによるファンと熱交換器の距離の不正規による本体運転時の振動、ビビリ音の発生を防止し、ユーザに対してより品質精度の高い空気調和機を提供することができる。【選択図】図１
2007240097.tif 000002
【特許請求の範囲】
【請求項１】
底板上に熱交換器に対向して立設したモ−タ取付台と、前面を構成する前板とからなる空気調和機であって、前記モ−タ取付台の分割した一方の上端を前記前板側へ略直角に折り曲げて前記前板の上部に固着し、他方の上端を前記熱交換器上部を跨乗させて外面側に略直角に折り曲げ、さらに前記モ−タ取付台の一部を前記熱交換器の内面側の高さ方向の任意の位置に接触するように略直角に折り曲げたことを特徴とする空気調和機。
【請求項２】
モ−タ取付台の熱交換器の内面側への折り曲げ部を、前記熱交換器の高さの全長の中心より下方の位置に設けたことを特徴とする請求項１に記載の空気調和機。
【発明の詳細な説明】
【技術分野】
【０００１】
本発明は室外ユニットにモ−タ取付台を有する空気調和機に関するものである。
【背景技術】
【０００２】
従来、この種の空気調和機は外箱に補強部材を取り付け、モ−タ取付台の上部取付板に設けた切り起こしを補強部材のスリット穴に挿通固定を行っている（例えば、特許文献１参照）。
【０００３】
図４は、特許文献１に記載された従来の空気調和機の室外ユニットの斜視図、図５は、空気調和機の室外ユニットの要部断面図を示すものである。図４、図５に示すように、底板１０１と、外胴１０２と、モ−タ取付台１１１と、補強部材１１２から構成されている。
【０００４】
底板１０１には両側から背面にかけて上端にフランジ１０２ａを形成した外胴１０２が取付けられ、フランジ１０２ａにはスリット穴１０２ｂが両側に設けられている。補強部材１１２はスリット穴１０２ｂに対応する引掛爪１１２ａを備え外胴１０２のフランジ１０２ａの両側間に懸架される。モ−タ取付台１１１は一対の支持枠１１１ａにモ−タ取付板１１１ｂを有し、上部取付板１１１ｆの下方への切り起し１１１ｈを補強部材１１２のスリット穴１１２ｂに挿通固定する構成とされている。
【特許文献１】特開平８−１７８３６１号公報（図２、３）
【発明の開示】
【発明が解決しようとする課題】
【０００５】
しかしながら、前記従来の構成では、モ−タ取付台の上部取付板の下方への切り起しを補強部材のスリット穴に挿通固定する構造になっているため、製品の運送時にモ−タ取付台の上部取付板の下方への切り起し部が折れてしまう場合があるという課題を有していた。
【０００６】
更に、モ−タ取付台と補強部材の固定方法が、スリット穴に切り起し部を挿通固定だけであるため合成が弱く、本体運転時に振動やビビリ音等の発生を有していた。
【０００７】
本発明は、前記従来の課題を解決するもので、モ−タ取付台の合成が強くなり、モ−タ取付台が傾くことによるファンと熱交換器の距離の不正規による本体運転時振動やビビリ音の発生のない空気調和機を提供することを目的とする。
【課題を解決するための手段】
【０００８】
前記従来の課題を解決するために、本発明の空気調和機は、モ−タ取付台の分割した一方の上端を前記前板側へ略直角に折り曲げて前記前板の上部に固着し、他方の上端を前記熱交換器上部を跨乗させて外面側に略直角に折り曲げ、さらに前記モ−タ取付台の一部を前記熱交換器の内面側の高さ方向の任意の位置に接触するように略直角に折り曲げた構成としたものである。
【０００９】
これによってモータ取付台は取付部の面積が大きくなることでかかる応力が小さくなり、部材が破損し難くなる。
【００１０】
また、モータ取付台は前後両側で固定されて合成が強くなり、製品の運送時のガタツキ等の原因でモ−タ取付台が傾くことがなくなり、モ−タ取付台の傾きによる送風機と熱交
換器の距離の不正規による本体運転時の振動、ビビリ音の発生を防止することができる。
【発明の効果】
【００１１】
本発明の空気調和機は、部材が破損し難く、モ−タ取付台の傾きによるファンと熱交換器の距離の不正規による本体運転時の振動、ビビリ音の発生を防止し、ユーザに対してより品質精度の高い空気調和機を提供することができる。
【発明を実施するための最良の形態】
【００１２】
第１の発明は底板上に熱交換器に対向して立設したモ−タ取付台と、前面を構成する前板からなる空気調和機であって、前記モ−タ取付台の分割した一方の上端を前記前板側へ略直角に折り曲げて前記前板の上部に固着し、他方の上端を前記熱交換器上部を跨乗させて外面側に略直角に折り曲げ、さらに前記モ−タ取付台の一部を前記熱交換器の内面側の高さ方向の任意の位置に接触するように略直角に折り曲げたことにより、固定部が大きくかつ前後両側で固定されて合成が強くなり、製品の運送時のガタツキ等の原因でモ−タ取付台が傾くことがなくなり、部材が破損し難く、モ−タ取付台の傾きによるファンと熱交換器の距離の不正規による本体運転時の振動、ビビリ音の発生を防止し、ユーザに対してより品質精度の高い空気調和機を提供することができる。
【００１３】
第２の発明は、特に、第１の発明のモ−タ取付台の熱交換器の内面側への折り曲げ部を、前記熱交換器の高さの全長の中心より下方の位置に設けたことにより、熱交換器の倒れや位置ずれを解消することができ、振動をより抑えることができる。
【００１４】
以下、本発明の実施の形態について、図面を参照しながら説明する。なお、この実施の形態によって本発明が限定されるものではない。
【００１５】
（実施の形態１）
図１は、本発明の第１の実施の形態における空気調和機の側断面図、図２は、本発明の第１の実施の形態におけるモ−タ取付台の斜視図を示すものである。
【００１６】
図１において、空気調和機の室外ユニット６は、底板１と、吹出口を有する前板２と、熱交換器５とから外郭をなし、底板１上に、熱交換器５を吸込口、前板２側を吹出口とするように、送風機を配設する。送風機はファン３と、モータ４で構成され、モ−タ取付台１１によって、底板１上に取付られる。
【００１７】
図２において、モ−タ取付台１１は、ファン３及びモータ４の取付部と、底板１への取付部と、前板２への取付部と、熱交換器５への取付部とから成っている。
【００１８】
まず、モ−タ取付台１１脚部の折り曲げ部１１ｂを底板１に設けた立ち上がり部とビス固定し、取付穴にファン３及びモータ４を取り付ける。
【００１９】
次に、モ−タ取付台１１上部を３分割し、１枚を前板２側に、残りの２枚を熱交換器５側に折り曲げる。ここで、前板２と熱交換器５は室外ユニット６の外郭を成すため、その高さはほぼ同程度であり、モ−タ取付台折り曲げ部１１ｃ、１１ｄは、前板２及び熱交換器５の高さと同程度の高さ位置で略直角に折り曲げて、折り曲げた面がほぼ水平となるようにしている。
【００２０】
前板２側のモ−タ取付台折り曲げ部１１ｃは前板２の上部にビス固定などで固着する。熱交換器５側のモ−タ取付台折り曲げ部１１ｄは熱交換器上部を跨乗し、熱交換器外面側で熱交換器外面に沿うように更に略直角に折り曲げることで略固定する。
【００２１】
モ−タ取付台１１の一部を更に熱交換器５側に略直角に折り曲げ、この折り曲げ部１１ａ若しくは１１ａ’の先端部が熱交換器内面に接触するように構成することで固定する。
【００２２】
ここで、折り曲げ部は１１ａのように熱交換器の高さの全長の中心より下方の位置に設けてもよいし、１１ａ’のように熱交換器の高さの全長のほぼ中心に設けてもよい。
【００２３】
以上のような構成によって、モータ取付台は取付部の面積が大きくなることでかかる応力が小さくなり、部材が破損し難くなる。
【００２４】
また、モータ取付台は前後両側で固定されて合成が強くなり、製品の運送時のガタツキ等の原因でモ−タ取付台が傾くことがなくなり、モ−タ取付台の傾きによる送風機と熱交換器の距離の不正規による本体運転時の振動、ビビリ音の発生を防止することができる。
【００２５】
特に、折り曲げ部を熱交換器の高さの全長の中心より下方の位置に設けることで、熱交換器の倒れや位置ずれを解消することができ、振動をより抑えることができる。
【００２６】
以上のように、本実施の形態においては、モ−タ取付台の分割した一方の上端を略直角に折り曲げて前板の上部に固着し、他方の上端を熱交換器上部を跨乗させて外面側に略直角に折り曲げ、さらに一部を熱交換器の内面側の高さ方向の任意の位置に接触するように略直角に折り曲げたことにより、部材が破損し難く、合成が強くなり、製品の運送時のガタツキ等の原因でモ−タ取付台が傾くことがなくなり、モ−タ取付台の傾きによる送風機と熱交換器の距離の不正規による本体運転時の振動、ビビリ音の発生を防止することができる。
【産業上の利用可能性】
【００２７】
以上のように、本発明にかかる空気調和機は、部材等の破損を防ぎ、本体運転時の振動、ビビリ音の発生を防止することが可能となるので、モータ取付台によってファン及びモータを取付ける送風機や除湿機等の用途にも適用できる。
【図面の簡単な説明】
【００２８】
【図１】本発明の実施の形態１における空気調和機の側断面図
【図２】本発明の実施の形態１におけるモ−タ取付台の斜視図
【図３】従来の空気調和機の室外ユニットの斜視図
【図４】従来の空気調和機の室外ユニットの要部断面図
【符号の説明】
【００２９】
１  底板
２  前板
３  ファン
４  モータ
５  熱交換器
６  室外ユニット
１１  モ−タ取付台
１１ａ、１１ａ’、１１ｂ、１１ｃ、１１ｄ  モ−タ取付台の折り曲げ部
【図１】
2007240097.tif 000003
【図２】
2007240097.tif 000004
【図３】
2007240097.tif 000005
【図４】
2007240097.tif 000006